(57)【特許請求の範囲】
【請求項１】
被験体のＭＲ画像を作り出すためのＭＲ画像化システム、および貫通性の電磁放射線を使用して、被験体の放射線画像を作り出すための放射線画像化システムに使用するためのＲＦフェイズドアレイコイルであって、該フェイズドアレイコイルは、放射線画像化の間に適所に残るように配され、放射線画像化の視界内に位置されるコイル導電性トレースを含み；
該ＲＦフェイズドアレイコイルは、
少なくとも１枚の基板シートによって定義される支持部；
該基板上で支持される導電性トレースによって形成される複数の個別のコイルループを含み；
少なくとも１つの個別のコイルループは、少なくとももう１つの個別のコイルループと重ねられ、その結果、前記１つのコイルループの脚部は、前記もう１つのコイルループの脚部に隣接し、前記１つのコイルループの脚部の端での２つの部分は、前記もう１つのコイルループの脚部の端での２つの対応する部分と交差し；
交差する部分の各々および対応する部分の各々は、脚部の厚さよりも薄い、基板に対して直角の方向での厚さを有することを特徴とする、ＲＦフェイズドアレイコイル。
【請求項２】
前記交差する部分の各々および前記対応する部分の各々は、前記脚部の厚さの２分の１と等しい、前記基板に対して直角の方向での厚さを有することを特徴とする、請求項１に記載の装置。
【請求項３】
前記個別のコイルループの各々は、交差する部分および対応する部分を除いて、一定である、その全長に沿った厚さを有することを特徴とする、請求項１または２に記載の装置。
【請求項４】
前記１つの個別のコイルループは、前記基板シートの第１表面上で配され、前記もう１つの個別のコイルループは、前記基板シートの第２対向面上に配されることを特徴とする、請求項１乃至３のいずれか１項に記載の装置。
【請求項５】
前記支持部は、第１および第２の重なるラミネート基板シートを含み、ここで、前記１つの個別のコイルループは、前記第１基板シートの第１表面上で配され、前記もう１つの個別のコイルループは、前記第１および第２の基板シート間に位置されるように、前記第１基板シートの第２対向面上に配されることを特徴とする、請求項１乃至４のいずれか１項に記載の装置。
【請求項６】
前記第２基板シートの第２対向面に位置付けられる、第３の個別のコイルループが提供され、ここで、該第３の個別のコイルループは、前記１つのおよび前記もう１つの個別のコイルループと重ねられることを特徴とする、請求項５に記載の装置。
【請求項７】
前記ＲＦコイルの前記導電性トレースは、前記トレースが、放射線画像において目に見える貫通性の電磁放射の減衰を引き起こすような厚さを有する、導電性材料で配され、ここで、前記支持基板は、前記トレースから間隔を置かれた前記基板シート上の位置での貫通性の電磁放射線の減衰が、前記導電性トレースの前記基板シート上の位置での減衰と実質的に等しくなるように選択された厚さを有する、視界内の非導電性材料を含むことを特徴とする、請求項１乃至６のいずれか１項に記載の装置。
【請求項８】
前記支持基板シートの前記非導電性材料は、視界内に位置付けられる前記ＲＦコイルの略全体の貫通性の電磁放射の減衰が、視界の全体にわたって、実質的に一定であるように、前記導電性トレースに関連して配されることを特徴とする、請求項７に記載の装置。
【請求項９】
前記支持基板シートは、共通の材料から形成され、ここで、該共通の材料の厚さは、視界内に位置付けられる前記ＲＦコイルの略全体の貫通性の電磁放射の減衰が、視界の全体にわたって、実質的に一定であるように変更されることを特徴とする、請求項８に記載の装置。
【請求項１０】
前記支持基板シートは、基材から形成され、該基材とは異なる追加材料は、視界内に位置付けられる前記ＲＦコイルの略全体の貫通性の電磁放射の減衰が、視界の全体にわたって、実質的に一定であるように、前記支持基板シートに加えられることを特徴とする、請求項８に記載の装置。
【請求項１１】
前記基材および前記追加材料は、共通構造を形成するためにラミネートされることを特徴とする、請求項１０に記載の装置。
【請求項１２】
前記支持基板シートは柔軟であることを特徴とする、請求項１乃至１１に記載の装置。
【発明の詳細な説明】
【技術分野】
【０００１】
本発明は、患者の身体部分のＭＲ画像を得るために使用され得、Ｘ線画像を妨害せずに、身体部分のＸ線画像化中に適所に残り得る、磁気共鳴映像法に使用するための、一連の別々のコイルエレメントまたは個別のループから形成されたフェイズドアレイＲＦコイルに関する。コイルアレイは、受信機能、送信機能に使用され得るか、または両方の機能を実行し得る。
【背景技術】
【０００２】
磁気共鳴映像法（ＭＲＩ）は、医療用画像のために一般に使用される。さらに、ＭＲＩの放射線（Ｘ線）治療と放射線画像化との組み合わせた使用は、両方とも、多くの状況で以前から使用されてきた。そのようなシステムは、患者の情報を得るために、単一のモダリティシステムと比較して、著しい利点を提供する。しかしながら、そのような従来のデュアル画像化システムにおいて、患者は、１つのシステムから別のシステムに移動または伝送される必要があり得る。そのような移動は、困難且つ時間がかかり得、画像登録を複雑にすることによって結果を損ないかねない。
【０００３】
放射線治療用加速器と組み合わせたＭＲＩが使用されてきた。したがって、Ｘ線は、放射線治療中に適所に残るＭＲ画像化システムのＲＦコイルを介して送信されなければならない。ＭＲＩシステムのＲＦコイルは放射経路にあるが、十分な吸収を引き起こさないため、治療を著しく低下させる、または画像化のためにより高用量を必要とする。例えば、ＲＦコイルは、約２．３ｍｍの同等なＡｌの厚さを有し得、これは、治療がコイルからの妨害なしで実行されるのに十分低く、およびＸ線照射の最適線量に影響を与えないように十分低い。
【０００４】
ＭＲＩの放射線画像化、またはより具体的にはＸ線画像化との組み合わせは、固有の問題を引き起こす。具体的には、従来の表面のＭＲＩ受信コイルがＸ線システムの画像化経路に置かれると、コイルは、画像において目に見え、受信コイルのアーティファクトまたはエッジまたは構成要素が、外科医が見る必要のあるＸ線画像における重要な特徴を覆い得る要因となる。この理由のために、ＭＲＩが放射線画像化と組み合わせて行なわれるとき、ＲＦコイルを含む、ＭＲＩシステムのすべてのコイルは、典型的に、視界から外れるように、放射経路から外れて配置されるか、または放射経路から取り除かれる。
【０００５】
例えば、２００５年８月２日に発行された、特許文献１（McKinnon）は、Ｘ線システムの放射経路から外れて配置されたすべてのＭＲＩコイルを有する分離した磁石のＭＲＩシステムを考慮する。
【０００６】
不運にも、ＭＲＩ性能は、ＭＲＩ ＲＦコイルを、放射線画像化システムの視界の外側に置くことの必要性によって、あいにく低下されかねない。例えば、表面のＲＦコイルは、最大のＭＲＩ画像品質のために、画像化されている被験体上にしばしば直接置かれる。そのような表面コイルは、ＭＲＩシステムとして被験体の同一部分に向けられる任意の放射線画像化システムの視界内にある。したがって、従来の組み合わされたＭＲＩおよび放射線画像化は、ＲＦコイルを放熱システムの視界から外して置くことによる、低下したＭＲＩ画像品質を受け入れるか、ＲＦコイルを放熱システムの視界内に置くことによる、またはＭＲＩ ＲＦコイルを、ＭＲＩ画像化のための１つの位置に、および放射線画像化のための視界外の別の位置に移動させることによる、放射画像におけるＲＦコイルアーティファクトを受け入れるかの望ましくない選択が要求され得る。
【０００７】
２００８年７月１日に発行された、特許文献２（Rieke）は、ＲＦコイルをＸ線に対して「透過性」となるようにするためのアルミニウムの使用を開示する。より具体的には、特許文献２は、ＭＲＩの改善された放射線画像化との適合性が、送信コイル部分を有するＭＲＩ ＲＦコイルによって提供される配置を開示する。送信コイル部分は、放射線画像化システムによって使用される貫通性の放射線に対して実質的に透過性である。したがって、送信コイル部分は、放射線画像へアーティファクトを導入せずに、放射線画像化システムの視界内に配置され得る。貫通性の放射線に対する透過性は、送信コイル部分における低原子番号（即ち、Ｚ＜２９）元素のみを実質的に含むことによって達成され得る。好ましくは、送信コイル部分は、アルミニウムから実質的に組立てられる。
【０００８】
しかしながら、ＲＦコイルのトレース（traces）のためのアルミニウムの使用は、銅の使用と比較して、ＭＲ画像化の低下につながることが認められる。しかしながら、銅は、Riekeの「送信」コイル部分を作り出すのに十分薄いトレースにおいて使用することができない。
【０００９】
関連する開示は、本発明の出願人／譲受人によって、両方とも２００９年５月２５日に出願され、２００９年１２月１０日に公開された、特許文献３および特許文献４においてなされ、それらの開示は、引用によって本明細書に組み入れられ、それらの引用に対する開示が、さらなる詳細のためになされ得る。
【００１０】
本件の出願人／譲受人によって、２０１０年６月２９日に出願され、２０１１年１月６日に公開された、特許文献５において、ＲＦコイルが開示され、ここで、ＲＦコイルの導電性トレースは、トレースが放射線画像において目に見える貫通性の電磁放射線の減衰を引き起こすような厚さを有する、導電性材料で配され、支持ボードは、トレースから間隔を置かれたボード上の位置での貫通性の電磁放射線の減衰が、導電性トレースのボード上の位置での減衰と実質的に等しくなるように選択された厚さを有する、視界内の非導電性材料を含む。しかしながら、この配置は、以前に知られているように、コイルループ間の相互インダクタンスを分断するために重複しなければならない、個別のループを有する、減衰が一定である、このタイプのフェイズドアレイコイルを提供する方法を開示していない。この文書の開示は、引用によって本明細書に組み入れられ、それらの引用に対する開示が、さらなる詳細のためになされ得る。
【００１１】
本件の譲受人によって、２０１１年３月３日に公開された、特許文献６において、分断および前置増幅（pre-amplification）のための配置を含む、ＲＦコイルループが開示される。この文書の開示は、引用によって本明細書に組み入れられ、それらの引用に対する開示が、さらなる詳細のためになされ得る。
【先行技術文献】
【特許文献】
【００１２】
【特許文献１】米国特許第６，９２５，３１９号
【特許文献２】米国特許第７，３９４，２５４号
【特許文献３】ＰＣＴ出願公開ＷＯ ２００９／１４６５２１
【特許文献４】ＰＣＴ出願公開ＷＯ ２００９／１４６５２２
【特許文献５】ＰＣＴ出願公開ＷＯ ２０１１／００００８５
【特許文献６】ＰＣＴ出願公開ＷＯ ２０１１／０２２８９６
【発明の概要】
【課題を解決するための手段】
【００１３】
本発明の１つの目的は、ＭＲＩおよびＸ線などの貫通性の放射線を使用して、デュアル画像化システムにおいて使用するのに適した、フェイズドアレイＲＦコイルを提供することである。
【００１４】
本発明の第１の態様によると、被験体のＭＲ画像を作り出すためのＭＲ画像化システム、および貫通性の電磁放射線を使用して、被験体の放射線画像を作り出すための放射線画像化システムに使用するためのＲＦフェイズドアレイコイルが提供され、該フェイズドアレイコイルは、放射線画像化の間に適所に残るように配され、放射線画像化の視界内に位置されるコイル導電性トレースを含み；
該ＲＦフェイズドアレイコイルは、
少なくとも１枚の基板シートによって定義される支持部；
基板上で支持される導電性トレースによって形成される複数の個別のコイルループを含み；
少なくとも１つの個別のコイルループは、少なくとももう１つの個別のコイルループと重ねられ、その結果、前記１つのコイルループの脚部は、前記もう１つのコイルループの脚部に隣接し、前記１つのコイルループの脚部の端での２つの部分は、前記もう１つのコイルループの脚部の端での２つの対応する部分と交差し；
交差する部分の各々および対応する部分の各々は、脚部の厚さよりも薄い、基板に対して直角の方向での厚さを有している。
【００１５】
好ましくは、交差する部分の各々および対応する部分の各々は、脚部の厚さの２分の１と等しい、基板に対して直角の方向での厚さを有する。
【００１６】
好ましくは、個別のコイルループの各々は、交差する部分および対応する部分を除いて、一定である、その全長に沿った厚さを有する。
【００１７】
好ましくは、前記１つの個別のコイルループは、基板シートの第１表面上で配され、前記もう１つの個別のコイルループは、基板シートの第２対向面上に配される。
【００１８】
好ましくは、支持部は、第１および第２の重なるラミネート基板シートを含み、ここで、前記１つの個別のコイルループは、第１基板シートの第１表面上で配され、前記もう１つの個別のコイルループは、第１および第２の基板シート間に位置されるように、第１基板シートの第２対向面上に配される。
【００１９】
好ましくは、第２基板シートの第２対向面に位置付けられる、第３の個別のコイルループが提供され、ここで、第３の個別のコイルループは、前記１つのおよび前記もう１つの個別のコイルループと重ねられる。
【００２０】
好ましくは、ＲＦコイルの導電性トレースは、トレースが、放射線画像において目に見える貫通性の電磁放射の減衰を引き起こすような厚さを有する、導電性材料で配され、ここで、支持基板は、トレースから間隔を置かれた基板シート上の位置での貫通性の電磁放射線の減衰が、導電性トレースでの基板シート上の位置での減衰と実質的に等しくなるように選択された厚さを有する、視界内の非導電性材料を含む。
【００２１】
好ましくは、支持基板シートの非導電性材料は、視界内に位置付けられるＲＦコイルの略全体の貫通性の電磁放射の減衰が、視界の全体にわたって、実質的に一定であるように、導電性トレースに関連して配される。
【００２２】
１つの配置において、支持基板シートは、共通の材料から形成され、ここで、共通の材料の厚さは、視界内に位置付けられるＲＦコイルの略全体の貫通性の電磁放射の減衰が、視界の全体にわたって、実質的に一定であるように変更される。
【００２３】
別の配置において、支持基板シートは基材から形成され、基材と異なる追加材料は、視界内に位置付けられるＲＦコイルの略全体の貫通性の電磁放射の減衰が、視界の全体にわたって、実質的に一定であるように、支持基板シートに加えられ、ここで、基材および追加材料は、好ましくは、共通構造を形成するためにラミネートされる。
【００２４】
好ましくは、支持基板シートは柔軟である。
【００２５】
好ましくは、導電性トレースは銅から形成される。
【００２６】
導電性トレースは、好ましくは、減衰を減少させるためにアルミニウムから形成されるが、導電性トレースが銅から形成される場合にも、同じ概念が使用され得る。
【００２７】
好ましくは、支持基板シートは、ＦＲ−４などの、繊維強化樹脂から形成される。
【００２８】
本発明の第２の態様によると、被験体のＭＲ画像を作り出すためのＭＲ画像化システム、および貫通性の電磁放射線を使用して、被験体の放射線画像を作り出すための放射線画像化システムに使用するためのＲＦフェイズドアレイコイルが提供され、該フェイズドアレイコイルは、放射線画像化の間に適所に残るように配され、放射線画像化の視界内に位置されるコイル導電性トレースを含み；
該ＲＦフェイズドアレイコイルは、
少なくとも１枚の基板シートによって定義される支持部；
基板上で支持される導電性トレースによって形成される複数の個別のコイルループを含み；
少なくとも１つの個別のコイルループは、少なくとももう１つの個別のコイルループと重ねられ、その結果、前記１つのコイルループの脚部は、前記もう１つのコイルループの脚部に隣接し、前記１つのコイルループの脚部の端での２つの部分は、前記もう１つのコイルループの脚部の端での２つの対応する部分と交差し；
ここで、前記１つの個別のコイルループは、基板シートの第１表面上で配され、前記もう１つの個別のコイルループは、基板シートの第２対向面上に配される。
【００２９】
Ｘ線画像を撮っている間に、コイルが存在するとき、構成要素および導電性トレースは、Ｘ線画像において目に見える。ＭＲフェイズドコイルアレイに関して、導電要素またはループは、隣接する素子の分断を提供するように重ねられなければならない。トレースが重なる場合、Ｘ線は、２倍の厚さを確認し、したがって、我々が一致させなければならない合計のアルミニウム等価を上げる。減衰率が低いアルミニウムであろうと、減衰率がはるかに高い銅であろうと、あらゆる導電性材料にとってこれは真実である。
【００３０】
様々な材料は、それらの厚さに基づいた異なる減衰を与える。ＭＲコイル要素上の銅のトレースは、Ｘ線画像に灰色のバーとして現われる。その厚さに基づいたプラスチックまたは他の非導電性材料によって、同様の減衰が与えられ得る。
【００３１】
導電性コイル要素トレースが重なる場合、トレースは、金属の厚さのほぼ２分の１まで厚さを減少され、その領域にわたって均一のＸ線アルミニウム等価を与える。この技術は、３０未満の原子番号を有する任意の材料に適用され得る。
【００３２】
これは、金属の厚さの２分の１を有するボードから始めて製造し、導電体重複領域上にマスク層レジスト（mask layer resist）を適用し、及び所望の厚さまでトレースを形成するためにボードに電気めっきを施して、標準プリント回路で容易に達成され得る。
【００３３】
コイルトレースも、同じＸ線のアルミニウム等価を維持するために、基板の正面および背面から交互配置される。
【００３４】
好ましくは、支持ボードの非導電性材料は、視界内に位置付けられるＲＦコイルの略全体の貫通性の電磁放射の減衰が、視界の全体にわたって、実質的に一定であるように、導電性トレースに関連して配される。しかしながら、減衰が異なる点または領域があり得、代替システムが、画像からこれらの点または領域を取り除くために使用される。そのような減衰が、画像において目に見えないわけではないが、その代わりに、減衰は、その存在が測定されように、画像に影響を与えるのに十分であるという意味で、目に見えることが認識される。しかしながら、その意図は、減衰が一定か均質であるため、画像内に目に見えるアーティファクトがなく、画像内のＲＦコイルの存在が、画像化されている部分によって引き起こされる減衰の違いによって引き起こされる画像内の様々な位置での画像強度の変化に影響を与えないということである。
【００３５】
１つの配置において、好ましくは、支持ボードは、共通の材料から形成され、ここで、共通の材料の厚さは、視界内に位置付けられるＲＦコイルの略全体の貫通性の電磁放射の減衰が、視界の全体にわたって、実質的に一定であるように変更される。
【００３６】
別の配置において、支持ボードは基材から形成され、基材と異なる追加材料は支持ボードに加えられる。
【００３７】
両方の場合において、材料は、銅トレースに関連する材料自体によって引き起こされる減衰の違いを分析することによって、および必要とされる厚さを計算することによって決定されるような、必要とされる厚さを提供するために機械加工され得る。
【００３８】
材料は、追加材料またはボード自体に関して選択され得、この材料は、その厚さが、銅トレースとは著しく異ならないような、非常に高い減衰率を有する。
【００３９】
トレースをプリントする、または必要に応じてトレースをエッチングすることを含む、支持ボードを製造するための従来の技術および材料が使用され得る。したがって、用語「トレース」は、導電体を支持基板上の導電体の形成の任意の特定の方法に限定するようには意図されない。
【００４０】
好ましくは、基材および追加材料は、共通構造を形成するためにラミネートされる。
【００４１】
好ましくは、導電性トレースは、一定の厚さおよびそれ故減衰を有するように、視界の全体にわたって連続的である。特定の位置で厚さを２倍にし得るか、またははんだなどの接続材料を必要とし得る接合部の必要なしに、多くの技術がそのような連続的なトレースを形成するために利用可能である。したがって、好ましくは、導電性トレースは、視界内にはんだを含まない。
【００４２】
好ましくは、視界内に導電性トレースからのコネクターワイヤーはなく、そのため、トレースから前置増幅器または他の位置へ接続する、同軸コネクター、ワイヤー、およびロッドなどの、コネクターワイヤーは、視界外に位置される。
【００４３】
多くの場合において、そのようなコイルが視界内に位置付けされるのに必要とされる、同調コンデンサーを位置付けることが必要であり、好ましくは、コンデンサーは、導電性トレースの減衰と実質的に等しい貫通性の電磁放射線の減衰を有するように配される。
【００４４】
これは、コンデンサーが必要とされるキャパシタンス（capacitance）を定義するために、トレース間の誘電材料で導電性トレースから形成される場合に達成され得る。
【００４５】
多くの場合において、そのようなコイルが視界内に位置付けされるのに必要とされる、ヒューズを位置付けることがまた必要であり、好ましくは、ヒューズによる貫通性の電磁放射線の減衰が、導電性トレースの減衰と実質的に等しくなるようにヒューズは配される。
【００４６】
これは、ヒューズが導電性トレースから形成される場合にも達成され得る。好ましくは、支持ボードは、視界内に機械的な取り付け構造および支持構造を含まない。
【００４７】
支持ボードは柔軟であり得る。
【００４８】
多くの場合において、ＲＦコイルのためのダイオードを提供することも必要であり、可能であれば、これは視界外に位置付けられ得る。
【００４９】
幾つかの場合において、導電性トレースとは異なる減衰を有するダイオードまたは他の同様の元素を、視界内に位置付けることが必要である。この場合、視界内のダイオードの位置は、一定となるように配され、放射線画像中のダイオードまたは他の元素の画像は、ソフトウェア画像解析によって取り除かれる。
【００５０】
好ましくは、導電性トレースは、銅から形成されるが、他の同様の導電性材料は、Ｘ線に対して効果的に透過性であるが、ＲＦコイル製造に一般に適さないアルミニウムの代わりに使用され得る。
【００５１】
支持ボードは、ＭＲ適合性があり、ＦＲ−４繊維ガラスサーキットボードなどの銅の減衰率より低いかまたは同じくらいのＸ線に対する減衰を有する、任意の適切な非導電性材料から形成され得る。
【図面の簡単な説明】
【００５２】
図１乃至５は、２０１１年１月６日に公開された、上述の特許文献５から得られ、従って、先行技術となる。
【００５３】
【図１】図１は、患者テーブル、テーブルの上の患者を画像化するための位置へ移動可能なＭＲＩ磁石、およびＸ線システムを動かすための配置を示す、血管造影室の等角図である。
【図２】図２は、患者を乗せるためのテーブルの等角図であり、そのベースは、イラストの便宜上省略されており、当該図は、患者の上部胴体の画像化のためのＲＦコイル構造を示す。
【図３】図３は、ＲＦコイルの平面図であり、該コイルは、概略的に示される、それに付けられたシステムの構成要素を含む。
【図４】図４は、ＲＦコイルを介する断面図である。
【図５】図５は、修正された構造を示す、ＲＦコイルを介する断面図である。
【図６】図６は、本発明によるフェイズドアレイコイルの平面図である。
【図７】図７は、図６の線７−７に沿った断面図である。
【発明を実施するための形態】
【００５４】
以下の記載は、上記のＰＣＴ出願から得られ、開示の完全性のために本明細書に含まれる。
【００５５】
図１には、患者が患者支持テーブル上で静止したままである間に、患者の磁気共鳴映像法およびＸ線画像化を実行するための配置が示される。配置は、患者支持テーブル（１０）に取り付けられる部屋（１）を提供し、該部屋は、磁石ベイ（１Ａ）からＭＲ画像化システムの磁石（３）の部屋に入るための部屋の片側面のドア（２）を備える。部屋は、レール（５）に取り付けたＸ線画像化システム（４）を含み、Ｃ形の支持部（８）に取り付けられた、Ｘ線のトランスミッター（６）およびレシーバー（７）を含む。Ｘ線システムは、Siemensなどの、製造業者から市販で入手可能な、従来の構造である。本明細書に記載され、示されるテーブル（１０）は、画像化がＭＲＩおよびＸ線を使用して達成される間に、患者がテーブル上の位置にある場合の配置に使用される。
【００５６】
可動磁石と協力するＸ線システム（４）は、患者が同じテーブル上でいずれかのモダリティによって画像化され得るように上に記載される。患者は移動せず、少なくとも１つのＲＦコイルは、適所に残る。
【００５７】
ＭＲは、上に記載されるように、２部屋以上の間のオーバーヘッドレール上で移動する、高磁場（high-field）（例えば、１．５Ｔまたは３Ｔまたはそれ以上）の磁石である。記載されるシステムにおいて、これらの部屋の１つ以上は、一方向（single-plane）または二方向（biplane）いずれかの、Ｘ線システムを含む。磁石がＸ線検査室ドアから移動され、１セットのＲＦおよびＸ線のシールドドアが閉じられるとき、検査室は、従来のＸ線の研究所として機能し、従来の装置とともに使用され得る。特に、Ｘ線で誘導された介入が行われ得る。
【００５８】
配置は、左に血管造影室（ＡＲ）、中央に診断室（ＤＲ）、および右に手術室を備える典型的な３つの部屋構成において使用され得る。磁石は、部屋間のオーバーヘッドレール上で移動し、その各々において画像化し得る。
【００５９】
ＭＲ画像化が必要とされるとき、Ｘ線機器は安全に積まれ、ドアは開き、および磁石は、テーブル上の患者がいる部屋へと運ばれる。ＲＦシールドは、ＡＲを包含し、そのため、Ｘ線検査室内の装置はすべて、ＲＦを出さないように（RF-quiet）製造される。ＭＲ画像化が、その後、実行され得る。その後、磁石は、部屋から取り除かれ、ドアは閉じられ、およびＸ線機器はその作動位置に戻される。
【００６０】
ＭＲスキャナは、Ｘ線を使用して得られた情報に補足的な情報を提供するために使用される。それは、例えば、介入前のベースライン評価の他に、介入後の評価を行うために使用され得る。そのような評価は、例えば、心臓、または脳に関する灌流および生存度の研究を含み得る。
【００６１】
図１に示されるようなＸ線システムを移動させるための配置において、ＭＲは、Ｘ線検査室に入り、テーブル（１０）の頭部端部上に移動する。ＭＲの経路が、Ｃアームスタンドの位置を通り抜けるため、後者は、磁石が入り得る前に移動されなければならない。必要に応じて、フロアに取り付けられたＣアームスタンドは、フロアレール、フロアターンテーブル、またはフロアまたは壁に取り付けられたブーム上で移動され得る。必要に応じて、天井に取り付けられたＣアームスタンドは、可動磁石レールからつるされたプラットフォームにスタンドレールを取り付けることによって、または磁石レールを、横に動かすために、伸縮アームでスタンドレールをプラットフォーム上に固定することによって、テーブルの脚部端部で、Ｃアームスタンドを置くために、延長レールを使用して移動され得る。
【００６２】
フロアに取り付けられたスタンドを、天井に取り付けられたスタンドのための移動機（mover）と一緒に移動させるための解決法を使用することによって、二方向システムを動かすための機構を提供する。移動機は、ＭＲレールに対するいくらかの０ではない角度、例えば、９０度での一方向または二方向の取付位置を提供し得る。
【００６３】
患者ハンドリングシステムまたは支持テーブルは、（１０）に一般に示されるような図２に示される。患者支持テーブルは、ベースが、高さおよび方向において必要とされる位置に患者支持部分（１２）を動かすことを可能にする、従来の構造のベース（１１）を含む。適切な駆動機構および連結部は、当該技術分野に公知であり、したがって、本明細書への記載は必要ではない。患者が患者支持部分上に横たわる間に患者を支持するのに十分な表面積を定義するために、ベース（１１）の最上部に、繊維強化プラスチック材料から形成された、一般に平らな本体（１２）の形態での患者支持部分が取り付けられる。
【００６４】
画像化が胸部の画像化であるとき、前胸部コイル（３１）は、マットレス上で画像化するための適所であるとき、患者の胸部の最上部に置かれるように配され、また後部コイル（３２）は、患者の後ろに置かれるように配される。同様に、画像化が頭部の画像化であるとき、コイルは、患者の頭部の上および下に置かれる。
【００６５】
ＭＲ画像化システムからＸ線画像化システムに変えるときに、患者を動かさないようにするために、少なくとも後部コイルは、適所に残る。したがって、このコイルは、Ｘ線画像において目に見える。画像化システムは、単純な線形のＸ線システムであり得るか、またはより好ましくは、患者のまわりの複数の画像を撮る、示されるタイプの二方向の（bi-planar）回転システムである。
【００６６】
したがって、図１に示されるような患者の一部の画像化に使用するための装置は、磁石（３）およびＲＦコイル（３１）、（３２）を含む被験体の画像を作り出すための、貫通性の電磁放射線および磁気共鳴画像化システムを使用する、視界内の被験体の放射線画像を作り出すための放射線画像化システム（４）を含む。
【００６７】
ＲＦコイル（３２）の概略図は、図３および４に示され、概略的にのみ示される、Ｘ線トランスミッター（５０）およびレシーバー（５１）を使用して、放射線画像化中に適所に残るように配される。
【００６８】
ＲＦコイルは、側端面（３４）を有する支持ボード（３３）を含み、画像化システム（４）は、画像の外にある視界外のボードの部分を有するＸ線画像において見られ得る、ボードの領域内の視界（３５）を定義する。
【００６９】
コイルの回路構成は、導電性トレース（３６）、コンデンサー（３７）、ヒューズ（４１）、ダイオード（３８）、接続ワイヤー（３９）、および前置増幅器（４０）を含む。これらの構成要素のすべては、一般的な構造において従来からあるものであり、コイルの技術分野において当業者に周知であるため、ここでは詳細な説明が必要とされない。
【００７０】
ＲＦコイルの導電性トレースは、導電性材料、および典型的には、少なくとも０．０００７インチの、および好ましくは、ＭＲ画像化システムからＲＦシグナルを受信するのに有効な０．００１４インチから０．００４２インチの範囲における厚さＴ３を有する銅で配される。そのようなトレースは、典型的には、均一厚さの支持ボード材料と比較して、放射線画像においてはっきり目に見える貫通性の電磁放射線の減衰を引き起こす。
【００７１】
図４に示されるように、支持ボードは、貫通性の電磁放射線の減衰が、導電性トレースの減衰と実質的に等しくなるように、選択されるトレースから間隔を置かれたボード上のこれらの位置で厚さＴ１を有する、視界内の非導電性材料から形成される。したがって、厚さＴ１のボード材料の減衰は、トレースの厚さＴ３およびトレースでのボードの厚さＴ２によって引き起こされる、減衰の合計と等しくなるように配される。この方法で、視界内に位置付けられたＲＦコイルの略全体の貫通性の電磁放射線の減衰は、視界の全体にわたって実質的に一定である。
【００７２】
トレースが、図４においてボードの浅くくぼんだ領域に示されるが、トレースは、平らなボードの最上部に適用され得、ボードの可変的な厚さは、後部に適用され得る。さらに、ボードは、Ｘ線に対して透過性である材料で凹部を充填することによって平らであり得、それ故、減衰に影響を与えない。
【００７３】
図５において、ボードが基材（３３Ａ）から作られ、追加材料（３３Ｂ）がトレースから離れた領域で支持ボードに加えられる代替的な配置が示され、該材料は非導電性であり、Ｘ線に透過性ではなく、基材（３３Ａ）とは異なる減衰因子を有する。基材および追加材料はラミネートされることによって共通の構造を形成し、凹部は追加の透明材料によって充填されてもよい。
【００７４】
導電性トレースは一定の減衰を有するように視界の全体にわたって連続的になるよう配される。すなわち、導電性トレースは接合部を含まず、したがって、視界内にはんだを含まない。代わりに、トレースはプリントされるか、さもなければ、一定の連続的なストリップとして適用される。あるいは、トレースは、連続的で接合部を含まないトレースを残して、ボード上の連続層からの不要な材料をエッチング除去（ｅｔｃｈｉｎｇ  ａｗａｙ）することにより形成される。
【００７５】
図３に示されるように、コイルからの接続ワイヤー（３９）は、視界（３５）の外側に位置付けられ、視界内の導電性トレースからの接続ワイヤーはひとつもない。
【００７６】
コイル用のコンデンサー（３７）とヒューズ（４１）は、ほとんどの場合、視界（３５）内に必ず位置付けられるため、貫通性の電磁放射線の減衰が導電性トレースのボードの減衰とほぼ等しくなるように、コンデンサー（３７）とヒューズ（４１）は配列される。したがって、コンデンサーとヒューズは、それ自体が、必要とされる特徴と価値を提供するために必要とされる量の導電性材料と誘電性材料を含むボード上で設計され、かつ、ボード上に置かれる導電性トレースから形成される。導電性トレースからのそのような部品の設計は既知であり、当業者の技術の範囲内である。
【００７７】
支持ボードは必要な要素に対するボードの接続のために、機械的な取り付けおよび支持構造体（４２）を含むが、これらは視界の外部にあるように設計されて配されるため、ボードは一般的に一定して連続的で、視界内には機械的構造がない。
【００７８】
必要なダイオード（３８）は視界の外側に位置付けられるようにトレース上に設計され配される。
【００７９】
代替策として、ダイオードまたは他の必要な要素は、それらが導電性トレースとは異なる減衰、構築物の減衰、および、高減衰因子を有しているため、ボードの残りをこの高減衰因子まで組み立てることによって、合理的には相殺されないような視界内に位置付けられる。この配置では、要素が視界内に位置付けられる場合、視界の要素の位置は一定であり、放射線画像中の要素の画像はＸ線レシーバーシステム（５１）でソフトウェア画像解析によって取り除かれる。
【００８０】
ここで図６および図７に目を向けると、本発明による修正形態が示されており、上述されていないコイルの残りの部分は先に開示されるとおりである。
【００８１】
図６に示されるＲＦフェイズドアレイコイルは、単一の基材シートによって定義されるか、または、図７で示すように、２つの基板シート（Ｓ１）および（Ｓ２）で定義される支持部（６０）を含む。
【００８２】
基板（６０）上には、基板上で支持される導電性トレースによって形成された複数の個々のコイルループ（６１）乃至（６５）が取り付けられる。個々のコイルループ（６１）および（６２）はたがいに重なり合うため、ループ（６２）の脚部（６２Ａ）はループ（６１）の脚部（６１Ａ）に隣接するようになり、ループ（６２）の脚部（６２Ａ）の端部で２つの部分（６２Ｂ）および（６２Ｃ）がコイルループ（６１）の脚部（６１Ａ）の端部で２つの対応する部分（６１Ｂ）および（６１Ｃ）と交差する。
【００８３】
交差部（６１Ｂ）（６２Ｂ）などの各々の交差部では、トレースの幅は、トレースの残部での幅Ｗ１から交差部での幅Ｗ２まで減らされる。これは、ループを分断するのを助ける目的でループ間の容量結合を減少させる既知の技術である。
【００８４】
図６に示されるパターンの再検討は、ループ（６３）が、脚部（６１Ｄ）と並んで位置する脚部（６３Ｄ１）、および、脚部（６２Ｄ）と並んで位置する脚部（６３Ｄ２）を形成するために、対称的な手法でループ（６１）と（６２）に重なるということを示すであろう。各々の脚部はその端部に交差部を有している。脚部（６３Ｄ１）と（６３Ｄ２）は、交差部（６３Ｄ４）で脚部（６２Ａ）を交差させ、
交差間（６３Ｄ５）で脚部（６１Ａ）を交差させ、交差部間に短い部分（６３Ｄ３）を形成する。交差部分（６３Ｄ４）は、脚部（６１）の対応する部分（６２Ａ４）と交差する。同様に、対称的な配置がコイル（６３）、（６４）、および、（６５）の間で作られる。
【００８５】
フェイズドアレイコイルのためのループのこの一般的なレイアウトは以前から知られているが、本発明は、既知の重複したレイアウトを用いて個々のループが分断され、かつ、Ｘ線画像では目に見えないような方法を提供する。
【００８６】
図７に示されるように、交差部分（６３Ｄ４）と（６３Ｄ５）のうち、および、対応する部分（６２Ａ４）と（６１Ａ４）の各々は、脚部（６３Ｄ１）、（６３Ｄ２）、（６３Ｄ３）、（６２Ａ）、および、（６１Ａ）の厚さ（Ｔ１）よりも薄い基板（Ｓ１、Ｓ２）に対して直角の方向に厚さ（Ｔ２）を有している。
【００８７】
典型的には、交差部分と対応する部分を例外として、交差部分の各々と対応する部分の各々は、厚さ（Ｔ１）の２分の１に等しい厚さ（Ｔ２）を有し、個々のコイルループ（６１）、（６２）、および、（６３）の各々は、その全長に沿って一定の厚さ（Ｔ１）を有する。
【００８８】
図６に示されるように、個々のコイルループ（６２）は、基板シート（Ｓ１）の第１のまたは上部（示された配向）表面（Ｓ１Ｔ）上に配されるか、または、プリントされ、個々のコイルループ（６３）は、基板シート（Ｓ１）の第２の対向面（Ｓ１Ｂ）上に配される。ループ（６２）および（６３）だけに追加の重複ループ（６１）が設けられない配置では、基板は単一シート（Ｓ１）のみによって形成される。しかしながら、ループ（６１）が含まれて両方に重複するように示されている配置では、第２のシート（Ｓ２）の上面（Ｓ２Ｔ）がシート（Ｓ２）の底面（Ｓ２Ｂ）上のループ（６２）と係合するように、第２のシート（Ｓ２）はループ（６３）の底部に設けられる。
【００８９】
したがって、導電性材料で配されたＲＦコイルの導電性トレース（６１）（６２）、および、（６３）は、トレースが放射線画像で目に見える貫通性の電磁放射の減衰を引き起こすような厚さを有し、引用される先行出願に関連して先に説明されたように、支持基板は視界内に非導電性材料を含み、該材料は、トレースから間隔を置いた基板シート上の位置における貫通性の電磁放射線の減衰が、導電性トレースにおける基材シート上での位置の減衰とほぼ等しくなるように選択された厚さを有する。当然のことながら、重複部分は、ほぼ一致する長さにわたって厚さ（Ｔ２）を有するように配され、その結果、コイルの表面全体にわたって測定されたループの厚さの合計は、Ｔ１になる。したがって、これは、基板の厚さまたは基板に塗布された材料と一致させることによって、Ｘ線システムの意図した視界内のコイル構造全体で一定のアルミニウム同等価値を提供することができる。
【００９０】
先に説明されたように、支持基板シートは異なる厚さの単一材料から形成可能である。代わりに、支持部は基材から形成され、基材と異なる追加材料は支持基板シートに加えられるため、結果として、視界内に位置付けられるＲＦコイルの略全体の貫通性の電磁放射の減衰は、視界の全体にわたってほぼ一定になる。
【００９１】
基板シート（Ｓ１）および（Ｓ２）によって形成される支持部は、好ましくは柔軟性を有するが、必要不可欠というわけではない。
【００９２】
導電性トレースは、銅またはアルミニウム、または当業者に周知の他の適切な材料から形成することができる。
【００９３】
支持基板シート（Ｓ１）および（Ｓ２）は、ＦＲ−４などの繊維強化樹脂から形成される。
【図１】
0005815465.tif 000002
【図２】
0005815465.tif 000003
【図３】
0005815465.tif 000004
【図４】
0005815465.tif 000005
【図５】
0005815465.tif 000006
【図６】
0005815465.tif 000007
【図７】
0005815465.tif 000008